(57)【要約】【課題】システム側からの制御なしで、アンテナの共振周波数帯域を適応的に制御することができる電子機器を実現する。【解決手段】ディスプレイユニット１２内部には、アンテナ１とスイッチ回路２と制御回路３とが設けられている。スイッチ回路２は、制御信号に応じて、例えば、アンテナ１の共振周波数帯域を第１の共振周波数帯域から第２の共振周波数帯域に切り替える。制御回路３は、給電線４を流れる無線通信モジュール１２４からの第２の共振周波数帯域の送信信号に共振するように構成され、この共振によって得られるエネルギーを用いて、スイッチ回路２に供給すべき制御信号を生成する。【選択図】図１
2011114582.tif 000002
【特許請求の範囲】
【請求項１】
第１の共振周波数帯域と第２の共振周波数帯域とを有するアンテナと、
給電線と前記アンテナとの間に接続され、制御信号に応じて前記アンテナの共振周波数帯域を前記第１の共振周波数帯域から前記第２の共振周波数帯域に切り替えるスイッチ回路と、
前記給電線を流れる無線通信モジュールからの前記第２の共振周波数帯域の送信信号に共振するように構成され、前記共振によって得られるエネルギーを用いて前記制御信号を生成する制御回路とを具備することを特徴とする電子機器。
【請求項２】
前記制御回路は、前記共振によって得られるエネルギーを用いてキャパシタを充電する充電回路を含み、前記キャパシタから前記切り替え器に電力を供給するように構成されていることを特徴とする請求項１記載の電子機器。
【請求項３】
前記第２の共振周波数帯域は前記第１の共振周波数帯域の一部にオーパラップしていることを特徴とする請求項１記載の電子機器。
【請求項４】
前記無線通信モジュールを含むシステムを備えた本体と、
前記本体に回転可能に取り付けられたディスプレイユニットとをさらに具備し、
前記アンテナ、前記スイッチ回路、および前記制御回路は前記ディスプレイユニット内に設けられていることを特徴とする請求項１記載の電子機器。
【請求項５】
前記ディスプレイユニットは連結部を介して前記本体に取り付けられており、前記給電線は前記連結部を通して前記本体から前記ディスプレイユニットに導出されていることを特徴とする請求項４記載の電子機器。
【請求項６】
本体と、
前記本体内に設けられた無線通信モジュールと、
連結部を介して前記本体に回転可能に取り付けられたディスプレイユニットと、
前記ディスプレイユニット内に設けられ、第１の共振周波数帯域と第２の共振周波数帯域とを有するアンテナと、
前記ディスプレイユニット内に設けられると共に、前記連結部を通して前記本体から前記ディスプレイユニットに導出される給電線と前記アンテナとの間に接続され、制御信号に応じて前記アンテナの共振周波数帯域を前記第１の共振周波数帯域から前記第２の共振周波数帯域に切り替えるスイッチ回路と、
前記ディスプレイユニット内に設けられ、前記給電線を流れる無線通信モジュールからの前記第２の共振周波数帯域の送信信号に共振し、前記共振によって得られるエネルギーを用いて前記制御信号を生成する制御回路とを具備することを特徴とする電子機器。
【請求項７】
前記制御回路は、前記給電線を流れる無線通信モジュールからの前記第２の共振周波数帯域の送信信号に共振する共振回路と、前記共振回路によって得られるエネルギーを用いてキャパシタを充電する充電回路と、前記キャパシタの電力を用いて、前記スイッチ回路を駆動するための電力と前記制御信号とを前記スイッチ回路に供給する出力回路とを含むことを特徴とする請求項６記載の電子機器。
【発明の詳細な説明】
【技術分野】
【０００１】
本発明はアンテナを有する例えばパーソナルコンピュータのような電子機器に関する。
【背景技術】
【０００２】
近年、ノートブック型等の様々な携帯型パーソナルコンピュータが開発されている。この種の携帯型パーソナルコンピュータの多くは、モバイル環境において例えばインターネット上のサーバのような外部デバイスとの無線通信を実行できるようにするために無線通信機能を有している。
【０００３】
また最近では、移動無線通信方式で使用可能なチャネルの増加または無線通信方式の種類の増加に伴い、携帯型パーソナルコンピュータには複数のアンテナを搭載することが要求されている。
【０００４】
特許文献１には、複数のアンテナと高周波スイッチとを備えた無線装置が開示されている。この無線装置においては、高周波スイッチは、無線制御部から受信された制御信号に応じて、使用するアンテナを複数のアンテナ間で切り替える。
【先行技術文献】
【特許文献】
【０００５】
【特許文献１】特開２００６−１０９１８４号公報
【発明の概要】
【発明が解決しようとする課題】
【０００６】
しかし、このように、無線制御部からの制御信号を用いてアンテナを切り替えるという構成では、無線制御部側に制御信号を発生するためのハードウェアを追加しなければならず、無線制御部の構成が複雑化される可能性がある。また、無線制御部側と高周波スイッチとの間には、給電線に加え、高周波スイッチを制御するための制御信号線等も配設する必要が生じ、これら線路それぞれに対応するケーブルの配設によって多くの実装スペースが専有されてしまうことになる。
【０００７】
本発明は上述の事情を考慮してなされたものであり、無線通信に使用する周波数帯域に応じてアンテナの共振周波数帯域を適応的に制御することができる電子機器およびアンテナ制御方法を提供することを目的とする。
【課題を解決するための手段】
【０００８】
上述の課題を解決するために、本発明の電子機器は、第１の共振周波数帯域と第２の共振周波数帯域とを有するアンテナと、給電線と前記アンテナとの間に接続され、制御信号に応じて前記アンテナの共振周波数帯域を前記第１の共振周波数帯域から前記第２の共振周波数帯域に切り替えるスイッチ回路と、前記給電線を流れる無線通信モジュールからの前記第２の共振周波数帯域の送信信号に共振するように構成され、前記共振によって得られるエネルギーを用いて前記制御信号を生成する制御回路とを具備することを特徴とする。
【発明の効果】
【０００９】
本発明によれば、無線通信に使用する周波数帯域に応じてアンテナの共振周波数帯域を適応的に制御することができる。
【図面の簡単な説明】
【００１０】
【図１】本発明の一実施形態に係る電子機器の外観を示す斜視図。
【図２】同実施形態の電子機器のシステム構成を示すブロック図。
【図３】同実施形態の電子機器に設けられた共振回路の回路構成を示す回路図。
【図４】同実施形態の電子機器に設けられたアンテナの周波数特性を示す図。
【図５】同実施形態の電子機器におけるアンテナ制御動作を説明するための図。
【発明を実施するための形態】
【００１１】
以下、図面を参照して、本発明の実施形態を説明する。  
図１には、本発明の一実施形態に係る電子機器の外観が示されている。この電子機器は、例えば、バッテリ駆動可能な携帯型パーソナルコンピュータ１０として実現されている。
【００１２】
図１は、コンピュータ１０のディスプレイユニットを開いた状態における斜視図である。本コンピュータ１０は、コンピュータ本体１１と、ディスプレイユニット１２とから構成される。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１３】
ディスプレイユニット１２は、コンピュータ本体１１にヒンジ部１８を介して回動自在に取り付けられている。ヒンジ部１８はコンピュータ本体１１にディスプレイユニット１２を連結する連結部である。すなわち、ディスプレイユニット１２は、コンピュータ本体１１の後端部に配置されたヒンジ部１８によって支持されている。ディスプレイユニット１２は、コンピュータ本体１１に対してコンピュータ本体１１の上面が露出される開放位置とコンピュータ本体１１の上面がディスプレイユニット１２によって覆われる閉塞位置との間をヒンジ部１８によって回動自在に取り付けられている。
【００１４】
ディスプレイユニット１２内部には、アンテナ１とスイッチ回路２とが設けられている。アンテナ１とスイッチ回路２は、共振周波数を変更可能なリコンフィグラブルアンテナとして機能することができる。すなわち、アンテナ１は少なくとも第１および第２の２つの共振周波数帯域を有している。スイッチ回路２はアンテナ１と給電線４との間に接続されている。このスイッチ回路２は、制御信号に応じて、例えば、アンテナ１の共振周波数帯域を第１の共振周波数帯域から第２の共振周波数帯域に切り替える周波数切り替え器として機能する。アンテナ１の構成例としては、以下の構成等が挙げられる。
【００１５】
（１）アンテナ１は一つのアンテナ素子を含む。グランド接続される、アンテナ素子内の位置がスイッチ回路２によって変更される。これにより、アンテナ１の共振周波数帯域は第１の共振周波数帯域と第２の共振周波数帯域との間で切り替えられる。例えば、スイッチ回路２がオフステートの期間は第１の共振周波数帯域が選択され、スイッチ回路２が制御信号によってオンステートに設定されている期間は第２の共振周波数帯域が選択されるようにしてもよい。  
（２）アンテナ１はアンテナ素子１ａとアンテナ素子１ｂとを含む。アンテナ素子１ａは第１の共振周波数帯域をカバーし、アンテナ素子１ｂは第２の共振周波数帯域をカバーする。スイッチ回路２は、制御信号に応じて、給電線４に接続されるアンテナ素子をアンテナ素子１ａとアンテナ素子１ｂとの間で切り替える。例えば、スイッチ回路２がオフステートの期間はアンテナ素子１ａが選択され、この選択されたアンテナ素子１ａが給電線４に接続される。一方、スイッチ２が制御信号によってオンステートに設定されている期間はアンテナ素子１ｂが選択され、この選択されたアンテナ素子１ｂが給電線に接続される。
【００１６】
ディスプレイユニット１２内部には、さらに、ヒンジ部１８を介して本体１１からディスプレイユニットに導出される給電線４に結合された制御回路３が設けられている。この制御回路３は、本体１１内に設けられた無線通信モジュール１２４からの送信信号の電力を用いて、上述の制御信号を自動生成する。
【００１７】
例えば、いま、スイッチ回路２がデフォルトステート（スイッチ回路２がオフ）である時に第１の周波数帯域（アンテナ素子１ａ）が選択されるようにスイッチ回路２が構成されている場合を想定する。この場合、制御回路３は、スイッチ回路２のステートをデフォルトステートから第２の周波数帯域（アンテナ素子１ｂ）が選択されるステート（スイッチ回路２がオン）に切り替えるために、第２の共振周波数帯域の信号に共振するように設計される。すなわち、制御回路３は、給電線４を流れる無線通信モジュール１２４からの第２の共振周波数帯域の送信信号に共振するように構成され、共振によって得られるエネルギーを用いて、スイッチ回路２に供給すべき制御信号を生成する。もし無線通信モジュール１２４の代わりに、第１の共振周波数帯域の信号を無線通信および無線受信する無線通信モジュールが本体１１内に設けられたならば、制御回路３は、制御信号を生成しない。このため、スイッチ回路２のステートは第１の周波数帯域（アンテナ素子１ａ）を選択するデフォルトステートに維持される。以上ことから、制御回路３は、システム側で無線通信のために使用される周波数帯域に応じて、換言すれば本体１１に搭載される無線通信モジュールに応じて、アンテナ１の共振周波数帯域を適応的に変化させることを可能にする。
【００１８】
コンピュータ本体１１は薄い箱形の筐体を有するベースユニットであり、その上面にはキーボード１３、本コンピュータ１０をパワーオン／パワーオフするためのパワーボタン１４、およびタッチパッド１６などが配置されている。また、コンピュータ本体１１内部には、各種電子部品が設けられたシステム基板（マザーボードとも云う）が設けられている。このシステム基板上には、無線通信モジュール１２４が設けられている。
【００１９】
無線通信モジュール１２４は、例えば、第３世代移動通信方式(３G)に従って外部デバイスとの無線通信を実行する無線通信モジュールである。無線通信モジュール１２４は、例えば、システム基板上に設けられたバススロットに接続される。第３世代移動通信方式(３G)においては、例えば、８５０Ｍｈｚ帯域（８２４〜８９４Ｍｈｚ）または９００Ｍｈｚ帯域（８８０〜９６０Ｍｈｚ）が用いられる。８５０Ｍｈｚ帯域は例えば日本国、米国等で用いられ、９００Ｍｈｚ帯域は例えばヨーロッパで用いられている。本コンピュータ１０の仕向地に応じて、システム基板上のバススロットには、例えば、８５０Ｍｈｚ帯域を用いて無線通信を実行する無線通信モジュール、または９００Ｍｈｚ帯域を用いて無線通信を実行する無線通信モジュールのいずれかが装着される。以下では、システム基板上のバススロットに、８５０Ｍｈｚ帯域を用いて無線通信を実行する無線通信モジュール１２４が接続されている場合を想定する。
【００２０】
アンテナ１の搭載位置は、例えば、ディスプレイユニット１２内の上端部である。アンテナ１をディスプレイユニット１２内の上端部に設けることにより、無線通信モジュール１２４は、アンテナ１が比較的高い位置に配置されている状態で外部デバイスとの無線通信を実行することができる。
【００２１】
給電線４は同軸ケーブルのような一本のケーブルから構成されており、このケーブルはヒンジ部１８内部の空間を通される。このケーブルは、ヒンジ部１８を介してコンピュータ本体１１からディスプレイユニット１２に導出される。
【００２２】
次に、図２を参照して、本コンピュータ１０のシステム構成について説明する。
【００２３】
本コンピュータ１０は、ＣＰＵ１１１、ノースブリッジ１１２、主メモリ１１３、グラフィックスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、無線通信モジュール１２４、エンベデッドコントローラ／キーボードコントローラＩＣ（ＥＣ／ＫＢＣ）１２５、アンテナ１、スイッチ回路２、および制御回路３等を備えている。
【００２４】
ＣＰＵ１１１は本コンピュータ１０の動作を制御するプロセッサであり、ハードディスクドライブ（ＨＤＤ）１２１から主メモリ１１３にロードされる、オペレーティングシステム（ＯＳ）および各種アプリケーションプログラムを実行する。またＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２５】
ノースブリッジ１１２は、ＣＰＵ１１１のローカルバスとサウスブリッジ１１９との間を接続するブリッジデバイスである。またノースブリッジ１１２は、ＡＧＰ（Accelerated Graphics Port）バスなどを介してグラフィクスコントローラ１１４との通信を実行する機能も有している。
【００２６】
グラフィクスコントローラ１１４は、本コンピュータ１０のディスプレイモニタとして使用されるＬＣＤ１７を制御する表示コントローラである。サウスブリッジ１１９は各種Ｉ／Ｏデバイスを制御するブリッジデバイスである。サウスブリッジ１１９には、PCI Expressバスのようなバス２０２を介して無線通信モジュール１２４が接続されている。
【００２７】
無線通信モジュール１２４は無線信号（ＲＦ信号）を送受するためのアンテナ端子を有している。無線通信モジュール１２４のアンテナ端子は同軸ケーブルから構成される給電線４を介してアンテナ１に結合される。エンベデッドコントローラ／キーボードコントローラＩＣ（ＥＣ／ＫＢＣ）１２５は、電力管理のためのエンベデッドコントローラと、キーボード（ＫＢ）１３およびタッチパッド１６を制御するためのキーボードコントローラとが集積された１チップマイクロコンピュータである。
【００２８】
制御回路３は、無線通信モジュール１２４からの送信電力を用いて、スイッチ回路２をスイッチ制御するための制御信号ＣＯＮＴとスイッチ回路２を駆動するための電力とを生成する。制御信号ＣＯＮＴはスイッチ回路２内のＦＥＴのようなスイッチを制御するために用いられる。もし制御回路３がディスプレイユニット１２内に存在しない場合には、スイッチ回路２の制御のために、給電線４の他に、３本のライン（制御信号ＣＯＮＴ線、電力線、グランド線）を本体１１側からディスプレイユニット１２内のスイッチ回路２に向けて導出しなければならない。本実施形態では、制御回路３は、スイッチ回路２に供給すべき制御信号ＣＯＮＴ、電力（＋）、およびグランド（−）の全てを自動生成することができるように構成されている。したがって、本体１１側からディスプレイユニット１２に導出するのは給電線４のみでよい。
【００２９】
制御回路３は、例えば、共振回路３１、充電回路３２、および出力回路３３を含む。共振回路３１は給電線４に結合されており、給電線４を流れる無線通信モジュール１２４からの第２の共振周波数帯域（例えば８５０ＭＨｚ帯域）の送信信号に共振するように構成されている。無線通信モジュール１２４が周波数分割多重を用いて無線通信を行う場合には、第２の共振周波数帯域は送信周波数帯域と受信周波数帯域とを含む。この場合、共振回路３１は、送信周波数帯域の信号に共振するように構成してもよい。充電回路３２は、共振回路３１によって得られるエネルギー（共振回路３１の出力電流）を用いて、充電回路３２内のキャパシタを充電する。出力回路３３は、キャパシタの電力を用いて、制御信号ＣＯＮＴ、電力（＋）、およびグランド（−）をスイッチ回路２に供給する。
【００３０】
図３には、制御回路３の構成例が示されている。共振回路３１は、例えば、（ａ）給電線４に挿入されたインダクタＬ１と、（ｂ）インダクタＬ２およびキャパシタＣから構成されるＬＣ共振回路とを含む。ＬＣ共振回路の共振周波数は、例えば、無線通信モジュール１２４の送信信号の周波数帯域に一致する。充電回路３２は、例えば、ダイオードＤと蓄電用キャパシタＣ’とを含み、無線通信モジュール１２４が送信信号を送信している送信期間中にのみ、ＬＣ共振回路の出力電流を用いて蓄電用キャパシタＣ’を充電することができる。出力回路３３は、例えば抵抗Ｒを含み、蓄電用キャパシタＣ’の電力から制御信号ＣＯＮＴ、電力（＋）、およびグランド（−）を生成する。
【００３１】
図４には、アンテナ１の有する２つの共振周波数帯域の例が示されている。図４に示されているように、アンテナ１は、２つの共振周波数帯域Ａ，Ｂを有している。アンテナ１は、アンテナ１の２つの共振周波数帯域Ａ，Ｂが互いに一部オーバーラップするように設計されている。これは、スイッチ回路２によって一方の共振周波数帯域（例えば共振周波数帯域Ｂ）が選択されている期間中においても、アンテナ１が他方の共振周波数帯域（例えば共振周波数帯域Ａ）の無線信号を受信することを可能にするためである。これにより、たとえスイッチ回路２が共振周波数帯域Ｂ（９００ＭＨｚ帯域）が選択されるデフォルトステートに設定されていたとしても、無線通信モジュール１２４は共振周波数帯域Ａ（８５０ＭＨｚ帯域）の無線信号を受信することができる。無線通信モジュール１２４が共振周波数帯域Ａ（８５０ＭＨｚ帯域）の送信信号の送信を開始すると、制御回路３は、その送信信号の電力を用いて蓄電用キャパシタＣ’を充電し始める。蓄電用キャパシタＣ’が充電されると、制御回路３は、制御信号ＣＯＮＴ、電力（＋）、およびグランド（−）をスイッチ回路２に供給する。この結果、スイッチ回路２は共振周波数帯域Ａ（８５０ＭＨｚ帯域）を選択させることができる。
【００３２】
図５には、スイッチ回路２および制御回路３によって実行される周波数切り替え動作の例が示されている。  
図５において、状態Ｓ１は、スイッチ回路２がオフであるステート（デフォルトステート）を示している。状態Ｓ１においては、アンテナ１の共振周波数帯域Ｂが選択される。状態Ｓ２は、無線通信モジュール１２４からの共振周波数帯域Ａの送信電力を用いて蓄電用キャパシタＣ’を充電しているステートである。無線通信モジュール１２４から共振周波数帯域Ａの送信信号が出力されている期間中は、制御回路３は状態Ｓ２である。蓄電用キャパシタＣ’の充電が完了すると、制御回路３は状態Ｓ３に移行する。状態Ｓ３では、制御回路３は、制御信号ＣＯＮＴ、電力（＋）、およびグランド（−）をスイッチ回路２に供給する。この結果、スイッチ回路２はオンされ、スイッチ回路２は共振周波数帯域Ａ（８５０ＭＨｚ帯域）を選択する状態Ｓ４に遷移する。
【００３３】
無線通信モジュール１２４からの共振周波数帯域Ａの送信信号の送信がある期間以上なくなると、電力蓄電用キャパシタＣ’が放電され、制御回路３は状態Ｓ５に移行する。状態Ｓ５では、制御回路３は、制御信号ＣＯＮＴ、電力（＋）、およびグランド（−）の出力を停止する。この結果、スイッチ回路２はオフされ、スイッチ回路２はデフォルトステートである状態Ｓ１に遷移する。
【００３４】
以上のように、本実施形態によれば、給電線４に接続された制御回路３が無線通信モジュール１２４の送信電力を用いてスイッチ回路２を制御するので、無線通信に使用する周波数帯域に応じてアンテナの共振周波数帯域を適応的に制御することができる。よって、
システム側からの制御なしで、自動的にアンテナの共振周波数帯域を制御することが可能となる。
【００３５】
なお、本実施形態では、スイッチ回路２に対する制御信号ＣＯＮＴのみならず、スイッチ回路２に対する電力（＋）、およびグランド（−）をも制御回路３が生成するようにしたが、スイッチ回路２に対する電力（＋）、およびグランド（−）はシステム側から供給することもできる。
【００３６】
また、本実施形態では、無線通信モジュールとして３Ｇ無線通信モジュールを使用する場合を例示したが、本実施形態の構成はいかなる無線通信方式にも適用できる。  
また、本実施形態では、本実施形態の構成を携帯型コンピュータに適用する例を説明したが、本実施形態の構成は例えば携帯電話、ＰＤＡ等にも適用することができる。  
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００３７】
１…アンテナ、１１ａ，１１ｂ…アンテナ素子、２…スイッチ回路、３…制御回路、４…給電線、１０…コンピュータ、３１…共振回路、３２…充電回路、３３…出力回路。
【図１】
2011114582.tif 000003
【図２】
2011114582.tif 000004
【図３】
2011114582.tif 000005
【図４】
2011114582.tif 000006
【図５】
2011114582.tif 000007
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
第１の共振周波数帯域と第２の共振周波数帯域とを有するアンテナと、
給電線と前記アンテナとの間に接続され、制御信号に応じて前記アンテナの共振周波数帯域を前記第１の共振周波数帯域から前記第２の共振周波数帯域に切り替えるスイッチ回路と、
前記給電線を流れる無線通信モジュールからの前記第２の共振周波数帯域の送信信号に共振するように構成され、前記共振によって得られるエネルギーを用いて前記制御信号を生成する制御回路とを具備することを特徴とする電子機器。
【請求項２】
前記制御回路は、前記共振によって得られるエネルギーを用いてキャパシタを充電する充電回路を含み、前記キャパシタから前記スイッチ回路に電力を供給するように構成されていることを特徴とする請求項１記載の電子機器。
【請求項３】
前記第２の共振周波数帯域は前記第１の共振周波数帯域の一部にオーバーラップしていることを特徴とする請求項１記載の電子機器。
【請求項４】
前記無線通信モジュールを含むシステムを備えた本体と、
前記本体に回動可能に取り付けられたディスプレイユニットとをさらに具備し、
前記アンテナ、前記スイッチ回路、および前記制御回路は前記ディスプレイユニット内に設けられていることを特徴とする請求項１記載の電子機器。
【請求項５】
前記ディスプレイユニットは連結部を介して前記本体に取り付けられており、前記給電線は前記連結部を通して前記本体から前記ディスプレイユニットに導出されていることを特徴とする請求項４記載の電子機器。
【請求項６】
本体と、
前記本体内に設けられた無線通信モジュールと、
連結部を介して前記本体に回動可能に取り付けられたディスプレイユニットと、
前記ディスプレイユニット内に設けられ、第１の共振周波数帯域と第２の共振周波数帯域とを有するアンテナと、
前記ディスプレイユニット内に設けられると共に、前記連結部を通して前記本体から前記ディスプレイユニットに導出される給電線と前記アンテナとの間に接続され、制御信号に応じて前記アンテナの共振周波数帯域を前記第１の共振周波数帯域から前記第２の共振周波数帯域に切り替えるスイッチ回路と、
前記ディスプレイユニット内に設けられ、前記給電線を流れる無線通信モジュールからの前記第２の共振周波数帯域の送信信号に共振し、前記共振によって得られるエネルギーを用いて前記制御信号を生成する制御回路とを具備することを特徴とする電子機器。
【請求項７】
前記制御回路は、前記給電線を流れる無線通信モジュールからの前記第２の共振周波数帯域の送信信号に共振する共振回路と、前記共振回路によって得られるエネルギーを用いてキャパシタを充電する充電回路と、前記キャパシタの電力を用いて、前記スイッチ回路を駆動するための電力と前記制御信号とを前記スイッチ回路に供給する出力回路とを含むことを特徴とする請求項６記載の電子機器。